(57)【要約】【課題】建物の梁等の交差箇所に配置される断熱材等の部材を保持する作業を効率的に行うことができる保持金物および建物の室内構造を提供する。【解決手段】この保持金物１は、互いに交差する第１面部１１と第２面部１２とを有しており、建物躯体となる梁（横架部材）２の交差部に配置するロックウール（被保持材）５を、上記第１面部１１と上記第２面部１２とで囲うように上記梁２に取り付ける。【選択図】図１
2019173392.tif 000002
【特許請求の範囲】
【請求項１】
互いに交差する第１面部と第２面部とを有しており、建物躯体となる横架部材の交差部に配置する被保持材を上記第１面部と上記第２面部とで囲うように上記横架部材に取り付けられることを特徴とする保持金物。
【請求項２】
請求項１に記載の保持金物において、上記第１面部と上記第２面部の少なくとも一方に、上記横架部材に取り付けられる部材との干渉を回避する切欠き部が形成されていることを特徴とする保持金物。
【請求項３】
請求項１または請求項２に記載の保持金物において、上記横架部材に係合する係合部を備えていることを特徴とする保持金物。
【請求項４】
請求項３に記載の保持金物において、上記係合部は上記横架部材である梁のフランジに形成された孔に係合されることを特徴とする保持金物。
【請求項５】
請求項３または請求項４に記載の保持金物において、上記係合部によって上記横架部材に着脱自在に設けられることを特徴とする保持金物。
【請求項６】
請求項１〜請求項５のいずれか１項に記載の保持金物によって、建物躯体となる横架部材の交差部に配置する被保持材を、上記第１面部と上記第２面部とで囲うように保持したことを特徴とする建物の室内構造。
【請求項７】
請求項６に記載の建物の室内構造において、上記横架部材が交差する箇所の下側に、室内の出隅部が形成されており、この出隅の上方側に、上記被保持材が保持された保持金物が取り付けられていることを特徴とする建物の室内構造。
【請求項８】
請求項６または請求項７に記載の建物の室内構造において、横架部材同士を連結するジョイント部材が設けられており、上記横架部材と上記ジョイント部材との接合箇所の近傍が上記被保持材で覆われるように上記保持金物が設けられていることを特徴とする建物の室内構造。
【発明の詳細な説明】
【技術分野】
【０００１】
この発明は、建物の梁等の交差箇所に配置される断熱材等の部材を保持する保持金物および建物の室内構造に関する。
【背景技術】
【０００２】
特許文献１には、建物躯体を構成する部材に凹部が形成されていない場合でも、上記部材にしっかりと固定することができるボード取付金物が開示されている。具体的には、上記ボード取付金物は、本体部と、上側挟持部と、下側挟持部とを備えており、建物躯体である例えばＨ型鋼梁の上フランジ部と下フランジ部の間に設けられる。上記ボード取付金物のボード取付面には、石こうボード等のボードが上下階に渡るように設けられる。上記上側挟持部は、受け板部および押圧バネ片部を備えており、上記ボード取付面と反対の面の側で上記上フランジ部を挟み込む。上記下側挟持部は、受け板部および押圧バネ片部を備えており、上記ボード取付面と反対の面の側で上記下フランジ部を挟み込む。
【先行技術文献】
【特許文献】
【０００３】
【特許文献１】特開２０１５−１８３４９７号公報
【発明の概要】
【発明が解決しようとする課題】
【０００４】
しかしながら、上記従来の技術は、ボード取付金物についての開示であり、建物の梁等の交差箇所に配置される断熱材等の部材を設ける作業や構造については何ら開示していない。
【０００５】
この発明は、建物の梁等の交差箇所に配置される断熱材等の部材を設ける作業を効率的に行うことができる保持金物および建物の室内構造を提供することを課題とする。
【課題を解決するための手段】
【０００６】
この発明の保持金物は、上記の課題を解決するために、互いに交差する第１面部と第２面部とを有しており、建物躯体となる横架部材の交差部に配置する被保持材を上記第１面部と上記第２面部とで囲うように上記横架部材に取り付けられることを特徴とする。
【０００７】
上記の構成であれば、建物躯体となる横架部材の交差部に配置する被保持材を上記第１面部と上記第２面部とで囲って保持できるので、上記被保持材を設ける作業を効率的に行うことができる。
【０００８】
上記第１面部と上記第２面部の少なくとも一方に、上記横架部材に取り付けられる部材との干渉を回避する切欠き部が形成されていてもよい。これによれば、上記横架部材に水平ブレース等の部材が取り付けられる場合でも、支障なく上記保持金物を上記横架部材に取り付けることができる。
【０００９】
上記横架部材に係合する係合部を備えていてもよい。これによれば、溶接等によらずに、上記係合部の操作で保持金物を横架部材に取り付けることができる。
【００１０】
上記係合部は上記横架部材である梁のフランジに形成された孔に係合されてもよい。
【００１１】
また、上記係合部によって上記横架部材に着脱自在に設けられていてもよい。これによれば、当該保持金物を一旦取り付けた後、上記被保持材の充填不良を発見した場合等に、当該保持金物を外して簡単に追加充填作業を行うことができる。
【００１２】
また、この発明の建物の室内構造は、上記保持金物を用い、建物躯体となる横架部材の交差部に配置する被保持材を上記第１面部と上記第２面部とで囲うように保持したことを特徴とする。
【００１３】
上記の室内構造において、上記横架部材が交差する箇所の下側に、室内の出隅部が形成されており、この出隅の上方側に、上記被保持材が保持された保持金物が取り付けられていてもよい。
【００１４】
また、上記の室内構造において、横架部材同士を連結するジョイント部材が設けられており、上記横架部材と上記ジョイント部材との接合箇所の近傍が上記被保持材で覆われるように上記保持金物が設けられていてもよい。
【発明の効果】
【００１５】
本発明であれば、建物の梁等の交差箇所に配置される断熱材等を保持する作業を効率的に行うことができるという効果を奏する。
【図面の簡単な説明】
【００１６】
【図１】同図（Ａ）および（Ｂ）は、実施形態にかかる保持金物およびこの保持金物が用いられる建物の室内構造を示した説明図である。
【図２】同図（Ａ）および（Ｂ）は、実施形態にかかる保持金物およびこの保持金物が用いられる建物の室内構造を示した説明図である。
【図３】実施形態にかかる保持金物を示した斜視図である。
【図４】図３の保持金物の第１面部と第２面部とを示した説明図である。
【図５】実施形態にかかる保持金物およびこの保持金物が用いられる建物の室内構造を下から見上げて示した説明図である。
【図６】他の実施形態にかかる保持金物およびこの保持金物が用いられる建物の室内構造の平面視および側面視を示した説明図である。
【発明を実施するための形態】
【００１７】
以下、この発明の一態様に係る実施形態を添付図面に基づいて説明する。図１（Ａ）、図１（Ｂ）、図２（Ａ）および図２（Ｂ）は、この実施形態の保持金物１およびこの保持金物１が用いられる建物の室内構造を示している。この室内構造は、建物躯体となる胴差レベル位置の梁２（横架部材）による十字状の交差部を備えている。上記梁２は例えばＨ形鋼からなっており、その上フランジおよび下フランジの各々には貫通孔２ａが所定配置で形成されている。また、上記梁２の端部には、接合板２３が固定されている。また、上記交差部には柱３が立てられており、この柱３の上端部に固定されたジョイントボックス（ジョイント部材）３１に上記接合板２３がボルト固定されることによって上記柱と上記梁２とが相互に連結されている。
【００１８】
また、上記交差部の梁２については、界壁４１と界壁４２が形成される箇所の梁２Ａ、２Ｂと、このような界壁を形成しない梁２Ｃ、２Ｄとが存在しており、上記界壁を形成しない梁２Ｃ、２Ｄの交差側において上記保持金物１が設けられている。そして、上記梁２Ｃ、２Ｄの交差側の下位置に上記界壁４１と界壁４２とによる出隅が形成される。また、上記梁２Ｃ、２Ｄの接合板２３には、水平ブレース２５を固定するための取付板２３ａが水平に突出されている。
【００１９】
また、上記梁２Ｃ、２Ｄにおける接合板２３の箇所をそれぞれ覆うように、ロックウール（被保持材）５が設けられる。このロックウール５は、例えば、断熱性、耐火性、遮音性を有する。また、このロックウール５は、上記取付板２３ａを境に上下に分割されている。
【００２０】
上記保持金物１は、例えば、亜鉛メッキが施された鋼板からなり、折り曲げられることによって、互いに略９０度で交差する第１面部１１と第２面部１２とを有する。そして、この保持金物１は、上記ロックウール５を上記第１面部１１と上記第２面部１２とで囲うように上記梁２Ｃ、２Ｄに取り付けられる。
【００２１】
図３および図４にも示すように、上記保持金物１の第１面部１１には、上記梁２Ｃの接合板２３に取り付けられた上記取付板２３ａとの干渉を回避する切欠き部１１ａが形成されている。また、上記保持金物１の第２面部１２には、上記梁２Ｄの接合板２３における取付板２３ａに取り付けられる上記水平ブレース２５および取り付けボルトとの干渉を回避する切欠き部１２ａが形成されている。この切欠き部１２ａは上記切欠き部１１ａよりも大きく切り欠かれている。なお、上記切欠き部１１ａについては、上記取付板２３ａの厚みよりも幾分狭い高さとすることで、上記取付板２３ａに上記保持金物１の保持を行わせるようにしてもよい。また、上記切欠き部１１ａを鋸刃状に形成して、上記保持金物１の取り付けおよび保持が行われ易くなるようにしてもよい。
【００２２】
上記保持金物１の第１面部１１の下辺部には、下方に突出する下側係合部１１ｂが形成されており、上記第２面部１２の下辺部には、下方に突出する下側係合部１２ｂが形成されている。上記下側係合部１１ｂ、１２ｂは、上記梁２の下フランジ２２に形成された上記貫通孔２ａに係合することができる。
【００２３】
上記保持金物１の第１面部１１の上部側には、上側係合部１１ｃが設けられており、上記第２面部１２の上部側には、上側係合部１２ｃが設けられている。これら上側係合部１１ｃ、１２ｃは、上下方向に可動に設けられるとともに、移動後状態を保持できるようになっている。
【００２４】
例えば、上側係合部１１ｃは、上記保持金物１の第１面部１１から独立した部材からなるとともに、上記第１面部１１に切り込み形成された挿通袋部１１ｄに挿通される。また、上記第１面部１１には切り起こし部１１ｅが形成されている。そして、上側係合部１１ｃには、上記切り起こし部１１ｅに係合する開口部が２箇所に形成されており、上側係合部１１ｃの突出状態の保持と、非突出状態の保持とが行えるようになっている。同様に、上記第２面部１２にも切り起こし部１２ｅが形成されている。そして、上側係合部１２ｃには、上記切り起こし部１２ｅに係合する開口部が２箇所に形成されており、上側係合部１２ｃの突出状態の保持と、非突出状態の保持とが行えるようになっている。なお、切り起こし部１１ｅ、１２ｅの切り起こしが上側で行われており、この上側の部位に開口の縁が引っ掛かるため、突出後の上側係合部１１ｃ、１２ｃの下がりが生じ難いようになっている。
【００２５】
なお、上側係合部１１ｃが、例えば曲げ等による部分的な増厚部を有し、この増厚部が上記挿通袋部１１ｄを通り抜けて位置することで、通り抜け移動後の状態を保持できるようになっていてもよい。上側係合部１２ｃについても同様である。なお、上記のような曲げによる増厚部を特に形成しなくても、上側係合部１１ｃと挿通袋部１２ｄとの摩擦力によって、上側係合部１１ｃの移動状態を保持することも可能である。
【００２６】
上記上側係合部１１ｃ、１２ｃは、上記梁２の上フランジに形成された上記貫通孔２ａに係合することができ、この係合によって、上記ロックウール５を上記第１面部１１と上記第２面部１２とで囲うように上記梁２Ｃ、２Ｄを取り付けることができる。また、上記保持金物１を一旦取り付けた後、上記上側係合部１１ｃ、１２ｃを下に下げて、上記保持金物１を上記梁２から外すこともできる。なお、上記保持金物１を上下反転させ、上記下側係合部１１ｂ、１２ｂと上記上側係合部１１ｃ、１２ｃとを逆配置で用いることも可能である。
【００２７】
上記の構成であれば、上記梁２の交差部に配置する被保持材である上記ロックウール５を、上記第１面部１１と上記第２面部１２とで囲うように保持できるので、上記ロックウール５を保持する作業を効率的に行うことができるようになる。
【００２８】
上記第１面部１１と上記第２面部１２の少なくとも一方に、上記横架部材である梁２に取り付けられる部材（取付板２３ａ、水平ブレース２５）との干渉を回避する切欠き部１１ａ，１２ａが形成されていると、上記梁２に水平ブレース２５等の部材が取り付けられる場合でも、支障なく上記保持金物１を上記梁２に取り付けることができる。
【００２９】
上記係合部（１１ｂ、１２ｂ、１１ｃ、１２ｃ）を備えていると、溶接等によらずに、上記係合部（１１ｂ、１２ｂ、１１ｃ、１２ｃ）で保持金物１を梁２に取り付けることができる。また、上記保持金物１が上記梁２に着脱自在に設けられていると、当該保持金物１を一旦取り付けた後、上記ロックウール５の充填不良を発見した場合に、当該保持金物１を外して簡単に追加充填作業を行うことができる。
【００３０】
上記保持金物１には底が無いので、図５に示しているように、梁２Ｃ，２Ｄの交差箇所を下から見上げたときに、上記ロックウール５が見えることになり、上記ロックウール５の充填不良の発見が容易である利点がある。
【００３１】
また、上記上側係合部１１ｃ、１２ｃは、上記の例では、上方向移動で梁２のフランジに係合するものとしたが、これに限らない。例えば、上記取付部は、バネ片によって上下フランジ間で突っ張ることで保持金物１を上記梁２に取り付ける構造としてもよいし、上フランジおよび下フランジをそれぞれ弾性挟持する挟持部によって保持金物１を上記梁２に取り付ける構造としてもよい。
【００３２】
なお、上記梁２Ｃ、２ＤはＨ形鋼に限らず、図６に示すように、溝形鋼２００を用いたものでもよい。この場合、この溝形鋼２００内でのロックウール５の部分は長くなるが、これに合わせて上記第１面部１１または上記第２面部１２の幅を広げることは特に必要ではなく、共用が可能である。また、上記第１面部１１と上記第２面部１２とでロックウール５を囲うことにおいては、ロックウール５の全面を囲う必要はなく、部分的に囲えば足りる。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：保持金物
２      ：梁（横架部材）
２Ａ    ：梁
２Ｂ    ：梁
２Ｃ    ：梁
２Ｄ    ：梁
２ａ    ：貫通孔
３      ：柱
５      ：ロックウール（被保持材）
１１    ：第１面部
１１ａ  ：切欠き部
１１ｂ  ：下側係合部
１１ｃ  ：上側係合部
１１ｄ  ：挿通袋部
１２    ：第２面部
１２ａ  ：切欠き部
１２ｂ  ：下側係合部
１２ｃ  ：上側係合部
１２ｄ  ：挿通袋部
２３    ：接合板
２３ａ  ：取付板
２５    ：水平ブレース
３１    ：ジョイントボックス（ジョイント部材）
４１    ：界壁
４２    ：界壁
【図１】
2019173392.tif 000003
【図２】
2019173392.tif 000004
【図３】
2019173392.tif 000005
【図４】
2019173392.tif 000006
【図５】
2019173392.tif 000007
【図６】
2019173392.tif 000008